Podtech/llm-jp-corpus-v4-ja_patent huggingface dataset:
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
燃料電池用拡散層の製造方法であって、
（ａ）カーボン粉末とイオン伝導体とを溶媒に分散させてインクを調整する工程と、
（ｂ）前記インクを基材の上にインクジェット法によって塗布することにより前記燃料電池用拡散層を形成する工程と、を備え、
前記工程（ｂ）における前記インクの塗布は、前記基材としての前記燃料電池の触媒層上に実行され、
前記触媒層は、触媒が担持された導電体とイオン伝導体とを溶媒に分散させて調整した触媒層用インクを電解質層上にインクジェット法によって塗布することにより形成されていると共に、前記触媒層用インクが塗布されない空間である複数の触媒層空隙を有し、
前記工程（ｂ）は、前記インクを所定の空間にのみ塗布することにより、前記インクが塗布されない空間である複数の拡散層空隙を、前記複数の拡散層空隙の内の少なくとも一部と前記複数の触媒層空隙の内の少なくとも一部とが前記拡散層および前記触媒層を厚さ方向に貫通した一体の空隙を構成するように配置されるように、形成する工程である、燃料電池用拡散層の製造方法。
【請求項２】
請求項１記載の燃料電池用拡散層の製造方法であって、
前記工程（ａ）において調整されるインクには、造孔剤が混合され、
さらに、
（ｃ）前記インクの塗布後、前記造孔剤により前記燃料電池用拡散層内に複数の微細孔を形成する工程を備える、燃料電池用拡散層の製造方法。
【請求項３】
請求項１または請求項２に記載の燃料電池用拡散層の製造方法であって、
前記工程（ｂ）は、前記拡散層に供給されるガスの流れの下流側に近い前記拡散層の部分ほど空隙率が大きくなるように、前記拡散層を形成する工程である、燃料電池用拡散層の製造方法。
【請求項４】
請求項１または請求項２に記載の燃料電池用拡散層の製造方法であって、
前記燃料電池は、前記拡散層上に配置される溝付きセパレータを備え、
前記工程（ｂ）は、前記溝付きセパレータの表面に形成された凸部に対向する前記拡散層の部分の空隙率が前記溝付きセパレータの表面に形成された凹部に対向する前記拡散層の部分の空隙率よりも大きくなるように、前記拡散層を形成する工程である、燃料電池用拡散層の製造方法。
【請求項５】
請求項１または請求項２に記載の燃料電池用拡散層の製造方法であって、
前記燃料電池は、前記拡散層上に配置される溝付きセパレータを備え、
前記工程（ｂ）は、前記複数の拡散層空隙の内、前記溝付きセパレータの表面に形成された凸部に対向する位置にある空隙の内の少なくとも一部が、前記溝付きセパレータの前記拡散層側の表面に形成された溝の方向に沿った線状の形状に形成されるように、前記拡散層を形成する工程である、燃料電池用拡散層の製造方法。
【請求項６】
請求項５記載の燃料電池用拡散層の製造方法であって、
前記工程（ｂ）は、前記線状形状に形成される拡散層空隙が前記拡散層の一端から他端まで連続した線状形状に形成されるように、前記拡散層を形成する工程である、燃料電池用拡散層の製造方法。
【請求項７】
燃料電池用拡散層であって、
カーボン粉末とイオン伝導体とを溶媒に分散させて調整したインクを基材の上にインクジェット法によって塗布することにより形成されており、
前記インクの塗布は、前記基材としての前記燃料電池の触媒層上に実行され、
前記触媒層は、触媒が担持された導電体とイオン伝導体とを溶媒に分散させて調整した触媒層用インクを電解質層上にインクジェット法によって塗布することにより形成されていると共に、前記触媒層用インクが塗布されない空間である複数の触媒層空隙を有し、
前記拡散層は、前記インクを所定の空間にのみ塗布することにより形成された前記インクが塗布されない空間である複数の拡散層空隙であって、前記複数の拡散層空隙の内の少なくとも一部と前記複数の触媒層空隙の内の少なくとも一部とが前記拡散層および前記触媒層を厚さ方向に貫通した一体の空隙を構成するように配置された拡散層空隙を有する、燃料電池用拡散層。
【請求項８】
請求項７記載の燃料電池用拡散層であって、
前記インクは、造孔剤を含み、
前記燃料電池用拡散層は、前記インクの塗布後に前記造孔剤によって形成される複数の微細孔を有する、燃料電池用拡散層。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
データから印刷機器を識別する第一の識別子を取得し、
メモリから利用可能な印刷機器を識別する第二の識別子を取得し、
前記第一および第二の識別子の関係から前記データの印刷が可能な印刷機器のリストを作成し、
前記リストに基づくユーザの印刷機器の選択を受け付け、
前記選択された印刷機器に対応する前記データの印刷ジョブを生成することを特徴とする情報処理方法。
【請求項２】
データから前記データを識別するデータ識別子を取得し、
サーバ装置から、前記データ識別子に関連付けされた印刷機器を識別する第一の識別子を取得し、
メモリから利用可能な印刷機器を識別する第二の識別子を取得し、
前記第一および第二の識別子の関係から前記データの印刷が可能な印刷機器のリストを作成し、
前記リストに基づくユーザの印刷機器の選択を受け付け、
前記選択された印刷機器に対応する前記データの印刷ジョブを生成することを特徴とする情報処理方法。
【請求項３】
さらに、前記第一の識別子が取得できない場合、前記データの印刷は不可である旨を示すメッセージを生成することを特徴とする請求項1または請求項2に記載された情報処理方法。
【請求項４】
さらに、前記データの変更権限を有するユーザの指示に従い、前記データの前記第一の識別子を更新することを特徴とする請求項1に記載された情報処理方法。
【請求項５】
さらに、前記サーバ装置が保持する前記関連付けの更新を前記サーバ装置に指示することを特徴とする請求項2に記載された情報処理方法。
【請求項６】
さらに、前記印刷機器から前記第二の識別子を取得して前記メモリに格納することを特徴とする請求項1から請求項5の何れか一項に記載された情報処理方法。
【請求項７】
データから印刷機器を識別する第一の識別子を取得し、メモリから利用可能な印刷機器を識別する第二の識別子を取得する取得手段と、
前記第一および第二の識別子の関係から前記データの印刷が可能な印刷機器のリストを作成する作成手段と、
前記リストに基づくユーザの印刷機器の選択を受け付ける入力手段と、
前記選択された印刷機器に対応する前記データの印刷ジョブを生成する生成手段とを有することを特徴とする情報処理装置。
【請求項８】
データから前記データを識別するデータ識別子を取得し、サーバ装置から、前記データ識別子に関連付けされた印刷機器を識別する第一の識別子を取得し、メモリから利用可能な印刷機器を識別する第二の識別子を取得する取得手段と、
前記第一および第二の識別子の関係から前記データの印刷が可能な印刷機器のリストを作成する作成手段と、
前記リストに基づくユーザの印刷機器の選択を受け付ける入力手段と、
前記選択された印刷機器に対応する前記データの印刷ジョブを生成する生成手段とを有することを特徴とする情報処理装置。
【請求項９】
情報処理装置を制御して、請求項1から請求項6の何れか一項に記載された情報処理を実現することを特徴とするプログラム。
【請求項１０】
請求項9に記載されたプログラムが記録されたことを特徴とするコンピュータが読み取り可能な記録媒体。
【手続補正書】
【提出日】平成20年12月12日(2008.12.12)
【手続補正１】
【補正対象書類名】特許請求の範囲
【補正対象項目名】全文
【補正方法】変更
【補正の内容】
【特許請求の範囲】
【請求項１】
保存されたコンテンツを、画面表示されたコンテンツ探索画面を操作することにより、探索する方法であって、
該コンテンツ探索画面にコンテンツリストを表示するコンテンツリスト表示エリアを設け、
該コンテンツ表示エリアの少なくとも２つの辺側毎に、コンテンツ探索のための異なる探索条件を表わす探索条件選択釦を表示した探索条件の表示エリアを設け、
該探索条件選択釦を選択することにより、コンテンツの探索条件を設定し、設定された該探索条件に応じた該コンテンツリストを該コンテンツリスト表示エリアに表示させ、
該探索条件の表示エリアでは夫々、選択された該探索条件選択ボタンが該コンテンツリスト表示エリアからのタブ上に表示され、選択されない該探索条件選択釦は互いに独立に分離されて表示され、
該探索条件の表示エリアには、辺毎に異なる属性の探索条件選択釦が配置され、１つの辺において該探索条件選択釦が２以上選択可能であって、
１つの辺で該探索条件選択釦が２以上選択されることにより、該コンテンツリスト表示エリアに表示される該コンテンツリストでのコンテンツが、選択された該探索条件選択釦に対する選択条件の少なくともいずれかを満たすコンテンツであり、
他の辺で該探索条件選択釦が選択されることにより、該コンテンツリスト表示エリアに表示される該コンテンツリストでのコンテンツは、１つの辺で選択された該探索条件選択釦に対する探索条件を満たし、かつ他の辺で選択された該探索条件選択釦の探索条件を満たすコンテンツである
ことを特徴とするコンテンツ探索方法。
【請求項２】
請求項１において、
前記コンテンツリスト表示エリアに表示される前記コンテンツリストからコンテンツを選択することにより、設定された前記探索条件に適合したコンテンツのうちの所望とするコンテンツを取得することができるようにしたことを特徴とするコンテンツ探索方法。
【請求項３】
請求項１または２において、
前記探索条件の表示エリアには夫々、１つ／全て選択釦が設けられ、該１つ／全て選択釦の操作により、全ての前記探索条件選択釦が選択された状態といずれか１つの前記探索条件選択釦が選択された状態とを切り替え可能とすることを特徴とするコンテンツ探索方法。
【請求項４】
請求項１，２または３において、
前記探索条件の表示エリアには夫々、状態選択釦が設けられ、全ての前記探索条件選択釦が選択された状態と任意の個数の前記探索条件選択釦を選択可能とする状態とを切り替え可能とすることを特徴とするコンテンツ探索方法。
【請求項５】
請求項１〜４のいずれか１つにおいて、
複数のソート選択釦を設け、該ソート選択手段の選択操作により、選択操作された該ソート選択手段に応じた配列順序に該コンテンツリストの並び換えを行なうことを特徴とするコンテンツ探索方法。
【請求項６】
請求項５において、
前記コンテンツリストでの選択されたコンテンツには、サムネイルが表示されることを特徴とするコンテンツ探索方法。
【請求項７】
請求項１〜６のいずれか１つにおいて、
前記コンテンツリスト表示エリアに表示される前記コンテンツリストのいずれかのコンテンツを選択することにより、処理メニューが表示され、
該処理メニューにより、選択された該コンテンツの再生，削除，他の機器の記録媒体へ移動，コピーのいずれかの処理を選択可能としたことを特徴とするコンテンツ探索方法。
【請求項８】
保存されたコンテンツを、画面表示されたコンテンツ探索画面を操作することにより、探索する方法であって、
該コンテンツ探索画面にコンテンツリストを表示するコンテンツリスト表示エリアを設け、
該コンテンツ表示エリアの少なくとも２つの辺側毎に、コンテンツ探索のための異なる探索条件を表わす探索条件選択釦を表示した探索条件の表示エリアを設け、
該探索条件選択釦を選択することにより、コンテンツの探索条件を設定し、設定された該探索条件に応じた該コンテンツリストを、夫々のコンテンツの複数の属性情報を横方向に並べて表示したリストとして、該コンテンツリスト表示エリアに表示させ、
該探索条件の少なくとも１つは階層構造をなして、上位階層の探索条件と下位階層の探索条件毎に表示エリアが設けられて、夫々毎に探索条件の選択釦が設けられ、
該上位階層の探索条件の表示エリアでの任意の探索条件の該選択釦を選択することにより、選択された該選択釦の探索条件に対する下位階層の探索条件の表示エリアに該選択釦が表示される
ことを特徴とするコンテンツ探索方法。
【請求項９】
請求項８において、
前記上位階層の探索条件の表示エリアでの前記選択釦を２以上選択可能であって、
前記選択釦が２以上選択されることにより、前記コンテンツリスト表示エリアに表示される前記コンテンツリストでのコンテンツは、選択された選択釦に対する探索条件の少なくともいずれかを満たすコンテンツであることを特徴とするコンテンツ探索方法。
【請求項１０】
請求項１〜９のいずれか１つにおいて、
前記コンテンツリスト表示エリアに表示される前記コンテンツリストは、放送番組信号から取得した電子番組表であって、該電子番組表に選択された前記探索条件選択釦による探索条件に応じた録画済み番組が表示されることを特徴とするコンテンツ探索方法。
【請求項１１】
請求項１〜１０のいずれか１つにおいて、
前記コンテンツリスト表示エリアに表示される前記コンテンツリストは、コンテンツのサムネイルが三次元的に配列されて表示されることを特徴とするコンテンツ探索方法。
【請求項１２】
請求項１〜１１のいずれか１つにおいて、
前記コンテンツリスト表示エリアにリスト表示されるコンテンツは、録画済み番組，録画予約済み番組，録画も録画予約もされていない番組であることを特徴とするコンテンツ探索方法。
【手続補正書】
【提出日】平成20年12月17日(2008.12.17)
【手続補正１】
【補正対象書類名】明細書
【補正対象項目名】００６５
【補正方法】変更
【補正の内容】
【００６５】
電源状態通知発光部３２、電源スイッチ３３、通信状態通知発光部３４、ミュージックキー３５、HOLDスイッチ４３、および、ボリュームボタン４４は、情報通信端末１の下側側面において、図７に示されるように配置されている。
【手続補正２】
【補正対象書類名】明細書
【補正対象項目名】０１３２
【補正方法】変更
【補正の内容】
【０１３２】
まず、デバイスドライバ層は、オーディオプロセッサ１３２と、オーディオプロセッサ１３２に接続されているハードウェアを動作させるための専用ソフトウェアで構成されており、具体的には、USB接続およびUSBストリーミング機能を実現するためのドライバソフトであるＵＳＢドライバ、オーディオプロセッサ１３２に接続されている大容量フラッシュメモリ１５４を動作させるためのフラッシュメモリドライバ、オーディオ信号処理モジュール１５２を動作させるためのオーディオドライバ、および、入力モジュール１５０のうち、特に、オーディオプロセッサ１３２が実行する処理に関する操作入力を行うミュージックキー３５などを動作させるためのキードライバで構成されている。
【手続補正３】
【補正対象書類名】明細書
【補正対象項目名】０１５６
【補正方法】変更
【補正の内容】
【０１５６】
図１６に示されるように、録音中状態においては、録音時間表示エリア４９１に録音時間が表示され、メッセージ表示エリア４９２には、「録音中です。録音を停止する場合は、決定ボタンを押してください（Now Recording. Push Enter to Stop.）」というメッセージが表示されている。
【手続補正４】
【補正対象書類名】明細書
【補正対象項目名】０１６２
【補正方法】変更
【補正の内容】
【０１６２】
図１８に示されるように、再生中の状態においては、録音時間表示エリア４９１に録音時間が表示されるとともに、録音された音声データ中の現在の再生位置を示す情報が表示され、メッセージ表示エリア４９２には、「再生中です。再生を一時停止する場合は、決定ボタンを押してください（Now Playing. Push Enter to Pause.）」というメッセージが表示されている。図１８に示される状態でユーザが決定ボタン２７を押下した場合、再生が一時停止され、図１７を用いて説明した再生待機状態となる。
【手続補正５】
【補正対象書類名】明細書
【補正対象項目名】０１９３
【補正方法】変更
【補正の内容】
【０１９３】
また、アドホックモード時のストリーミング再生においては、著作権保護がなされているコンテンツをストリーミング再生する場合、ストリーミング再生を行う(ファイルの供給先)となる情報通信端末１が、そのストリームファイルの再生を許可されている場合、ストリーミング再生を行う(ファイルの供給先)となる情報通信端末１が、そのストリームファイルのデスクランブルキーを保有している場合などを除いて、ファイル交換で取得されたデータファイルをオープン(再生)することはできない。
【手続補正６】
【補正対象書類名】明細書
【補正対象項目名】０２３５
【補正方法】変更
【補正の内容】
【０２３５】
また、ユーザは、利用するコミュニケーションツールごとに、いわゆる、オートログイン機能をONまたはOFFにあらかじめ設定しておくことができる。この設定も、例えば、図１４を用いて説明したHome画面４５１において各種設定（Tools）４６８を選択することによって起動される、図１２を用いて説明したアプリケーションプロセッサ１３１のセッティングツールに、ユーザの操作入力に基づいて、オートログイン機能をONまたはOFFに切り替えさせる機能を含ませるようにし、コミュニケーションアプリケーションが実行する処理を切り替えさせるようにすればよい。
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
複数のプリンタと通信可能に接続され、受信した該プリンタへの印刷データの出力を制御する印刷制御装置において、
第１のプリンタ宛ての印刷データを第２のプリンタへ出力させるよう設定された印刷制御設定情報が記憶された設定情報記憶手段と、
前記印刷制御装置のスプール領域に対する印刷データとしてのスプールファイルの出力を検出する検出手段と、
前記検出手段により検出したスプールファイルに出力先として前記第１のプリンタが設定されていた場合、当該印刷データの出力先を前記第２のプリンタへ変更するデータ操作手段を有することを特徴とする印刷制御装置。
【請求項２】
前記設定情報に記憶された第１のプリンタに対応した第１の仮想プリンタを一時停止状態にする状態設定手段と更に有することを特徴とする請求項１記載の印刷制御装置。
【請求項３】
前記スプールファイルに出力先として前記第１のプリンタが設定されていた場合、該スプールファイルに含まれるフォームＩＤに対応したフォームデータがオーバレイされた印刷データを作成するオーバレイ手段と、
前記オーバレイ手段により作成された印刷データを前記印刷設定情報に記憶された第２のプリンタへ出力する出力制御手段と、
を有することを特徴とする請求項１乃至２記載の印刷制御装置。
【請求項４】
前記検出手段は、前記印刷設定情報に定義されているポーリング間隔で検出しており、
前記スプールファイルを前記スプール領域より取得する取得手段と、
前記取得手段がスプールファイルの取得に失敗した場合に、該定義されているポーリング間隔を短く設定し、一方該取得に失敗したスプールファイルの取得が成功した場合に、該ポーリング間隔を印刷設定情報に定義されている間隔に戻すポーリング制御手段と、
を有することを特徴とする請求項１乃至３記載の印刷制御装置。
【請求項５】
前記第１の仮想プリンタの状態を確認する状態確認手段と、
前記状態確認手段により前記第１の仮想プリンタの状態が一時停止状態でなかった場合に一時停止状態に変更する状態変更手段を更に有することを特徴とする請求項２乃至４記載の印刷制御装置。
【請求項６】
複数のプリンタと通信可能に接続され、受信した該プリンタへの印刷データの出力を制御する印刷制御装置の制御方法において、
第１のプリンタ宛ての印刷データを第２のプリンタへ出力させるよう設定された印刷制御設定情報が記憶された設定情報記憶工程と、
前記印刷制御装置のスプール領域に対する印刷データとしてのスプールファイルの出力を検出する検出工程と、
前記検出手段により検出したスプールファイルに出力先として前記第１のプリンタが設定されていた場合、当該印刷データの出力先を前記第２のプリンタへ変更するデータ操作工程を有することを特徴とする印刷制御装置の制御方法。
【請求項７】
複数のプリンタと通信可能に接続され、受信した該プリンタへの印刷データの出力を制御する印刷制御装置の制御方法をコンピュータに実行させるプログラムにおいて、
第１のプリンタ宛ての印刷データを第２のプリンタへ出力させるよう設定された印刷制御設定情報が記憶された設定情報記憶工程と、
前記印刷制御装置のスプール領域に対する印刷データとしてのスプールファイルの出力を検出する検出工程と、
前記検出手段により検出したスプールファイルに出力先として前記第１のプリンタが設定されていた場合、当該印刷データの出力先を前記第２のプリンタへ変更するデータ操作工程をコンピュータに実行させるためのプログラム。
【請求項８】
請求項７に記載のプログラムを格納することを特徴とするコンピュータ可読記憶媒体。  
【手続補正２】
【補正対象書類名】明細書
【補正対象項目名】０００６
【補正方法】変更
【補正の内容】
【０００６】
上記課題を解決するために、本発明に関る印刷制御装置は、複数のプリンタと通信可能に接続され、受信した該プリンタへの印刷データの出力を制御する印刷制御装置において、
第１のプリンタ宛ての印刷データを第２のプリンタへ出力させるよう設定された印刷制御設定情報が記憶された設定情報記憶手段と、
前記印刷制御装置のスプール領域に対する印刷データとしてのスプールファイルの出力を検出する検出手段と、
前記検出手段により検出したスプールファイルに出力先として前記第１のプリンタが設定されていた場合、当該印刷データの出力先を前記第２のプリンタへ変更するデータ操作手段を有することを特徴としている。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
複数のクライアント端末とドキュメント共有サーバとをＩＰネットワークを介して接続する電子会議システムであって、
前記クライアント端末が、
ドキュメントを保存するドキュメント記憶部と、
該ドキュメント記憶部に記憶したドキュメントの表示状態情報を記憶する状態記憶部とを有し、
前記複数のクライアント端末のうち少なくとも一つが、該クライアント端末のドキュメントの表示状態を変更したとき、該クライアント端末が状態記憶部に記憶した変更後のドキュメント表示状態情報を前記ドキュメント共有サーバに送信し、
該ドキュメント共有サーバが、該クライアント端末から受信した表示状態情報を他のクランアント端末に転送する、
ことを特徴とする電子会議システム。
【請求項２】
複数のクライアント端末とドキュメント共有サーバとをＩＰネットワークを介して接続する電子会議システムであって、
前記クライアント端末が、
ドキュメントを保存するドキュメント記憶部と、
該ドキュメント記憶部に記憶したドキュメントの表示状態情報を記憶する状態記憶部とを有し、
前記複数のクライアント端末のうち少なくとも一つが、該クライアント端末のドキュメントの内容を変更したとき、該クライアント端末がドキュメント記憶部に記憶した変更後のドキュメントを前記ドキュメント共有サーバに送信し、
該ドキュメント共有サーバが、該クライアント端末から受信したドキュメントを他のクランアント端末に転送すること、
を特徴とする電子会議システム。
【請求項３】
前記ドキュメント共有サーバは、
前記クライアント端末から送信されたドキュメントを記憶するドキュメント記憶部と、
該ドキュメントの表示状態情報を記憶する状態記憶部と、
前記ドキュメント記憶部又は状態記憶部にドキュメント又は表示状態を記憶したときから時間の計数を開始する同期タイマー部とを有し、
前記複数のクライアント端末のうちの少なくとも一つのクライアント端末から受信した表示状態情報を状態記憶部に記憶し、
該記憶したときから所定の時間が経過したことを同期タイマーが計数したとき、前記状態記憶部に記憶した表示状態情報を他のクランアント端末に転送する、
ことを特徴とする請求項１記載の電子会議システム。
【請求項４】
前記表示状態情報が、前記一方のクライアント端末のドキュメントの表示状態を変更したアプリケーション上のスクロール位置とカーソル位置と閲覧及び編集の際の表示に関する情報を含むことを特徴とする請求項１記載の電子会議システム。
【請求項５】
ドキュメントを保存するドキュメント記憶部と、該ドキュメント記憶部に記憶したドキュメントの表示状態情報を記憶する状態記憶部とを有する前記クライアント端末と、
前記クライアント端末から送信されたドキュメントの表示状態情報を記憶する状態記憶部とを有するドキュメント共有サーバとから成り、
複数のクライアント端末とドキュメント共有サーバとをＩＰネットワークを介して接続する電子会議システムのドキュメント共有方法であって、
前記複数のクライアント端末のうち少なくとも一つが、該クライアント端末のドキュメントの表示状態を変更したとき、該クライアント端末が状態記憶部に記憶した変更後のドキュメント表示状態情報を前記ドキュメント共有サーバに送信するステップと、
該ドキュメント共有サーバが、該クライアント端末から受信した表示状態情報を他のクランアント端末に転送するステップと、
を有することを特徴とするドキュメント共有方法。
【請求項６】
前記クライアント端末が、
ドキュメント追加ボタンとドキュメント共有一時停止ボタンとドキュメント更新ボタンを含む操作画面アイコンを画面を表示するステップと、
前記ドキュメント追加ボタンが操作されたときドキュメントを追加するステップと、
前記ドキュメント共有一時停止ボタンが操作されたときドキュメントの共有を一時停止するステップと、
前記ドキュメント更新ボタンが操作されたときドキュメントを更新するステップと、
を有することを特徴とする請求項５に記載のドキュメント共有方法。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
演算回路、及び外部との信号の送受信を行うための回路を有し、
前記演算回路は、中央処理装置、ランダムアクセスメモリ、読み出し専用メモリ、及びコントローラを有し、
前記読み出し専用メモリは、前記外部との信号の送受信における衝突防止処理を行うためのプログラムが記憶されており、
前記プログラムが前記中央処理装置において実行されることで、前記演算回路は前記衝突防止処理を行うことを特徴とする半導体装置。
【請求項２】
演算回路、及び外部との信号の送受信を行うための回路を有し、
前記演算回路は、中央処理装置、ランダムアクセスメモリ、読み出し専用メモリ、及びコントローラを有し、
前記読み出し専用メモリは、前記外部との信号の送受信における衝突防止処理を行うためのプログラムが記憶されており、
前記プログラムが複数のルーチンで構成され、前記複数のルーチンが前記中央処理装置において処理されることで、前記演算回路は前記衝突防止処理を行うことを特徴とする半導体装置。
【請求項３】
演算回路、補助演算回路、及び外部との信号の送受信を行うための回路を有し、
前記演算回路は、中央処理装置、ランダムアクセスメモリ、読み出し専用メモリ、及びコントローラを有し、
前記読み出し専用メモリは、前記外部との信号の送受信における衝突防止処理を行うためのプログラムが記憶されており、
前記プログラムが複数のルーチンで構成され、前記複数のルーチンが前記中央処理装置において処理されること及び前記補助演算回路で処理されることで、前記演算回路は前記衝突防止処理を行うことを特徴とする半導体装置。
【請求項４】
演算回路、及び外部との信号の送受信を行うための回路を有し、
前記演算回路は、中央処理装置、ランダムアクセスメモリ、読み出し専用メモリ、及びコントローラを有し、
前記読み出し専用メモリは、前記外部との信号の送受信における衝突防止処理を行うためのプログラムが記憶されており、
前記プログラムが、前記外部からの信号のフラグ、コマンドを判断する第１のルーチンと、前記コントローラのマスク長コードを判断する第２のルーチンと、前記外部からの信号の巡回冗長検査を判断する第３のルーチンと、前記外部からの信号のスロットを判断する第４のルーチンと、で構成され、前記第１乃至第４のルーチンが前記中央処理装置において処理されることで、前記演算回路は前記衝突防止処理を行うことを特徴とする半導体装置。
【請求項５】
演算回路、補助演算回路、及び外部との信号の送受信を行うための回路を有し、
前記演算回路は、中央処理装置、ランダムアクセスメモリ、読み出し専用メモリ、及びコントローラを有し、
前記読み出し専用メモリは、前記外部との信号の送受信における衝突防止処理を行うためのプログラムが記憶されており、
前記プログラムが、前記外部からの信号のフラグ、コマンドを判断する第１のルーチンと、前記コントローラのマスク長コードを判断する第２のルーチンと、前記外部からの信号の巡回冗長検査を判断する第３のルーチンと、前記外部からの信号のスロットを判断する第４のルーチンと、で構成され、前記第１乃至第４のルーチンが前記中央処理装置において処理されること及び前記補助演算回路で処理されることで、前記演算回路は前記衝突防止処理を行うことを特徴とする半導体装置。
【請求項６】
請求項５において、前記第３のルーチンは前記補助演算回路で処理されることを特徴とする半導体装置。
【請求項７】
請求項１乃至６のいずれか１項において、
前記外部からの信号は、フレームの開始のコード、フラグのコード、コマンドのコード、データのコード、巡回冗長検査のコード、及びフレームの終了のコードを有することを特徴とする半導体装置。
【請求項８】
請求項１乃至７のいずれか１項において、
前記コントローラは、ＣＰＵインターフェイス、制御レジスタ、コード抽出回路、及び符号化回路を有することを特徴とする半導体装置。
【請求項９】
請求項８において、
前記制御レジスタは、前記フレームの開始のコードを判断して前記衝突防止処理を行うプログラムが実行されることを特徴とする半導体装置。
【請求項１０】
請求項１乃至９のいずれか１項において、
前記外部との信号の送受信を行うための回路は、アンテナ、共振回路、電源回路、リセット回路、クロック生成回路、復調回路、変調回路、及び電源管理回路のいずれかを有することを特徴する半導体装置。
【請求項１１】
請求項１乃至１０のいずれか１項における前記半導体装置を備えたＲＦＩＤ用ＩＣチップ、ＩＤチップ、ＩＣタグ、ＩＤタグ、ＲＦタグ、無線タグ、電子タグ、またはトランスポンダ。
【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
印刷前に認証処理を要する第１タイプの印刷ジョブ及び印刷前に認証処理が不要な第２タイプの印刷ジョブを含む複数種類の印刷ジョブを受付可能な印刷システムであって、
処理対象のジョブの印刷を完了させるのに必要な資源が前記印刷システムに存在する場合に、該ジョブの印刷を前記印刷システムにより開始させることを許可する、特定の動作を、前記印刷システムにより、実行可能にする制御手段を有し、
前記制御手段は、処理対象のジョブが前記第１タイプの印刷ジョブである場合に、前記特定の動作を前記印刷システムにより実行させる、ことを特徴とする印刷システム。
【請求項２】
印刷前に認証処理を要する第１タイプの印刷ジョブ及び印刷前に認証処理が不要な第２タイプの印刷ジョブを含む複数種類の印刷ジョブを受付可能な印刷システムであって、
処理対象のジョブの印刷を完了させるのに必要な資源が前記印刷システムに存在する場合に、該ジョブの印刷を前記印刷システムにより開始させることを許可する、特定の動作を、前記印刷システムにより、実行可能にする制御手段を有し、
前記制御手段は、処理対象のジョブが前記第２タイプの印刷ジョブである場合に、該ジョブの印刷を完了させるのに必要な資源が前記印刷システムに揃っていない場合でも、該ジョブの印刷を前記印刷システムにより開始させることを許可する、ことを特徴とする印刷システム。
【請求項３】
前記制御手段は、
処理対象のジョブの印刷を完了させるのに必要な資源が前記印刷システムに存在する場合に、該ジョブの印刷を前記印刷システムにより開始させることを許可し、一方、処理対象のジョブの印刷を完了させるのに必要な資源が前記印刷システムに無い場合に、該ジョブの印刷を前記印刷システムにより開始させることを禁止する、特定の動作を、前記印刷システムにより、実行可能にする、ことを特徴とする請求項１または請求項２に記載の印刷システム。
【請求項４】
前記制御手段は、
前記第１タイプの印刷ジョブの印刷データが記憶手段に記憶され、且つ、処理対象のジョブの印刷を完了させるのに必要な資源が前記印刷システムに有るか否かに関わる確認処理が前記第１タイプの印刷ジョブに対してなされたうえで、
前記特定の動作を前記印刷システムにより実行させる、ことを特徴とする請求項１乃至請求項３のいずれか１項に記載の印刷システム。
【請求項５】
前記資源は、処理対象のジョブの印刷を完成させるのに必要な印刷媒体、及び、処理対象のジョブの印刷を完成させるのに必要なトナー、及び、処理対象のジョブの印刷を完成させるのに必要なシート処理部材のうちの少なくとも何れかを含む、ことを特徴とする請求項１乃至請求項４のいずれか１項に記載の印刷システム。
【請求項６】
前記資源は、処理対象のジョブを実行することで出力される印刷媒体の積載対象となる積載手段を含み、
前記制御手段は、処理対象のジョブが前記第１タイプの印刷ジョブで、且つ、当該処理対象のジョブを実行することで出力される印刷媒体を前記積載手段が積載可能な場合に、当該処理対象のジョブの印刷を、前記印刷システムにより開始させることを許可する、ことを特徴とする請求項１乃至請求項５のいずれか１項に記載の印刷システム。
【請求項７】
前記制御手段は、
処理対象のジョブが前記第１タイプの印刷ジョブであり、
且つ、当該処理対象のジョブの印刷を完了するのに必要な資源が前記印刷システムに無い場合に、その旨を該ジョブの印刷を当該処理対象のジョブの印刷を開始させる前に前記印刷システムによりユーザに通知する、ことを特徴とする請求項１乃至請求項６のいずれか１項に記載の印刷システム。
【請求項８】
前記印刷システムは、
前記複数種類の印刷ジョブの印刷データを記憶可能な記憶手段に記憶された原稿読取装置及びホストコンピュータの少なくとも何れかからの印刷データを印刷可能である、ことを特徴とする請求項１乃至請求項７のいずれか１項に記載の印刷システム。
【請求項９】
前記複数種類の印刷ジョブの印刷データを記憶可能な記憶手段に記憶された前記第１タイプの印刷ジョブの印刷開始要求を、前記印刷システムの印刷装置が具備するユーザインタフェース手段を介してユーザから受付可能にし、
前記印刷システムの印刷装置が具備するユーザインタフェース手段を介して前記第１タイプの印刷ジョブの印刷開始要求をユーザから受付けた場合に、前記特定の動作を前記印刷装置により実行可能にし、
前記印刷システムの印刷装置が具備するユーザインタフェース手段を介して前記第１タイプの印刷ジョブの印刷開始要求をユーザから受付けていない場合に、該ジョブの印刷を完了させるのに必要な資源が前記印刷システムに有るか否かに関係なく、該印刷ジョブの印刷を前記印刷システムにより開始させない、ことを特徴とする請求項１乃至請求項８のいずれか１項に記載の印刷システム。
【請求項１０】
前記制御手段は、
受付けた第１タイプの印刷ジョブを記憶手段に記憶させ、
前記記憶手段に記憶させた第１タイプの印刷ジョブが処理対象に選択された場合に、認証情報をユーザに入力させ、
入力された認証情報と、処理対象のジョブに含まれる認証情報とを用いて認証処理を行わせ、
当該認証処理によって認証が得られた場合に、前記特定の動作を前記印刷システムにより実行させることを特徴とする請求項１または請求項２に記載の印刷システム。
【請求項１１】
前記制御手段は、
前記第１タイプの印刷ジョブの印刷データを展開して得られたイメージデータを前記記憶手段に記憶させ、
当該イメージデータの記憶が完了するまでは前記認証処理を行わせることを禁止することを特徴とする請求項１０に記載の印刷システム。
【請求項１２】
前記制御手段は、
前記認証処理によって認証が得られた場合に、処理対象のジョブを他の印刷待ちのジョブよりも先に前記印刷システムにより実行させるように制御することを特徴とする請求項１０または請求項１１に記載の印刷システム。
【請求項１３】
前記制御手段は、
前記第１タイプの印刷ジョブが処理対象に選択された時点で、他のジョブが前記印刷システムによって実行されており、且つ、該実行されているジョブが他の第１タイプの印刷ジョブである場合に前記認証処理を行うことを禁止することを特徴とする請求項１０乃至請求項１２のいずれか１項に記載の印刷システム。
【請求項１４】
実行中のジョブ、もしくは、前記第１タイプの印刷ジョブの印刷を前記印刷システムに実行させる前に実行されるジョブが存在する場合に、  前記実行中のジョブもしくは前記実行されるジョブの印刷を実行した後の資源の状態を判定し、
前記処理対象のジョブの印刷を完了するのに必要な資源が前記印刷システムにあるか否かを判断することを特徴とする請求項１０乃至請求項１３のいずれか１項に記載の印刷システム。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
ソース信号線駆動回路と、
前記ソース信号線駆動回路から出力された映像信号が、配線を介して複数の画素に書き込まれる画素部と、
第１及び第２の容量素子と第１及び第２のスイッチを有する領域とを有し、
前記領域は、前記画素部を介して前記ソース信号線駆動回路と対向する領域に位置し、
前記第１のスイッチは、前記配線と前記第１の容量素子との導通状態と非導通状態を制御し、
前記第２のスイッチは、前記配線と前記第２の容量素子との導通状態と非導通状態を制御することを特徴とする表示装置。
【請求項２】
ソース信号線駆動回路と、
前記ソース信号線駆動回路から出力された映像信号が、配線を介して複数の画素に書き込まれる画素部と、
第１の容量素子と第１のスイッチを有する第１の領域と、
第２の容量素子と第２のスイッチを有する第２の領域とを有し、
前記第１の領域は、前記ソース信号線駆動回路と前記画素部との間の領域に位置し、前記第２の領域は、前記画素部を介して前記ソース信号線駆動回路と対向する領域に位置し、
前記第１のスイッチは、前記配線と前記第１の容量素子との導通状態と非導通状態を制御し、
前記第２のスイッチは、前記配線と前記第２の容量素子との導通状態と非導通状態を制御することを特徴とする表示装置。
【請求項３】
ソース信号線駆動回路と、
前記ソース信号線駆動回路から出力された映像信号が、配線を介して複数の画素に書き込まれる画素部と、
第１及び第２の容量素子と第１及び第２のスイッチを有する領域とを有し、
前記領域は、前記画素部を介して前記ソース信号線駆動回路と対向する領域に位置し、
前記第１及び前記第２のスイッチのそれぞれの一方の端子は前記配線に電気的に接続され、
前記第１のスイッチの他方の端子は前記第１の容量素子の一方の電極に電気的に接続され、
前記第２のスイッチの他方の端子は前記第２の容量素子の一方の電極に電気的に接続されることを特徴とする表示装置。
【請求項４】
ソース信号線駆動回路と、
前記ソース信号線駆動回路から出力された映像信号が、配線を介して複数の画素に書き込まれる画素部と、
第１の容量素子と第１のスイッチを有する第１の領域と、
第２の容量素子と第２のスイッチを有する第２の領域とを有し、
前記第１の領域は、前記ソース信号線駆動回路と前記画素部との間の領域に位置し、前記第２の領域は、前記画素部を介して前記ソース信号線駆動回路と対向する領域に位置し、
前記第１及び前記第２のスイッチのそれぞれの一方の端子は前記配線に電気的に接続され、
前記第１のスイッチの他方の端子は前記第１の容量素子の一方の電極に電気的に接続され、
前記第２のスイッチの他方の端子は前記第２の容量素子の一方の電極に電気的に接続されることを特徴とする表示装置。
【請求項５】
請求項２または請求項４において、前記第１の容量素子は正の電荷を保存し、前記第２の容量素子は負の電荷を保存することを特徴とする表示装置。
【請求項６】
請求項１乃至請求項４のいずれか一において、前記第２の容量素子は正の電荷を保存し、前記第１の容量素子は負の電荷を保存することを特徴とする表示装置。
【請求項７】
請求項１乃至請求項６のいずれか一において、
前記表示装置は液晶表示装置であることを特徴とする表示装置。
【請求項８】
請求項１乃至請求項７のいずれか一において、
前記第１のスイッチ及び前記第２のスイッチは薄膜トランジスタで形成されていることを特徴とする表示装置。
【請求項９】
請求項１乃至請求項８のいずれか一に記載の表示装置を用いた電子機器。
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
内層および最外層を有する画像形成装置用エンドレスベルトにおいて、該最外層の表面の８３０〜８７０ｎｍの波長領域での平均正反射率が５．０％以上であり、該最外層の表面の８３０〜８７０ｎｍの波長領域での正反射率のバラツキが該平均正反射率の±１０％以内であり、該最外層の屈折率が該内層の屈折率よりも高く、かつ、該最外層が赤外線吸収剤を含んでいることを特徴とする画像形成装置用エンドレスベルト。 
【請求項２】
前記最外層が紫外線硬化型アクリル樹脂とアンチモン酸亜鉛のイソプロピルアルコールゾル又はチタニア系複合酸化物のメチルエチルケトンゾルと赤外線吸収剤としてのフタロシアニン化合物とを含む組成物を硬化させたものであり、
前記内層がカーボンブラックとポリフッ化ビニリデンとを含んでいる請求項１に記載の画像形成装置用エンドレスベルト。
【請求項３】
請求項１または２に記載の画像形成装置用エンドレスベルトと、
該画像形成装置用エンドレスベルトの前記最外層の表面に対して、８３０〜８７０ｎｍの波長領域の光を発する発光素子と受光素子とを有し、該発光素子と該受光素子とが該最外層の表面を反射面とする正反射光学系で構成されている色ズレ検出手段とを有することを特徴とする画像形成装置。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
トランジスタと、第１のスイッチと、第２のスイッチとを含む画素を有し、
前記トランジスタのソース電極及びドレイン電極の一方は前記第１のスイッチを介して前記トランジスタのゲート電極に電気的に接続され、
前記トランジスタのソース電極及びドレイン電極の他方は画素電極に電気的に接続され、
前記トランジスタのソース電極及びドレイン電極の他方は前記第２のスイッチに電気的に接続され、
前記トランジスタのゲート電極には、前記画素の階調に従った信号を入力することを特徴とする半導体装置。
【請求項２】
保持容量と、トランジスタと、第１のスイッチと、第２のスイッチと、第３のスイッチとを有し、
前記トランジスタのソース電極及びドレイン電極の一方は第１の配線に電気的に接続され、
前記トランジスタのソース電極及びドレイン電極の他方は画素電極と電気的に接続され、
前記トランジスタのソース電極及びドレイン電極の他方は前記第２のスイッチを介して第２の配線と電気的に接続され、
前記トランジスタのゲート電極は前記第３のスイッチを介して第３の配線と電気的に接続され、
前記トランジスタのゲート電極は前記第１のスイッチを介して前記第１の配線と電気的に接続され、
前記トランジスタのソース電極及びドレイン電極の他方は前記保持容量を介して前記トランジスタのゲート電極と電気的に接続されていることを特徴とする半導体装置。
【請求項３】
容量素子と、トランジスタと、第１のスイッチと、第２のスイッチと、第３のスイッチとを有し、
前記トランジスタのソース電極及びドレイン電極の一方は第１の配線に電気的に接続され、
前記トランジスタのソース電極及びドレイン電極の他方は画素電極と電気的に接続され、
前記トランジスタのソース電極及びドレイン電極の他方は前記第２のスイッチを介して第２の配線と電気的に接続され、
前記トランジスタのゲート電極は前記第３のスイッチを介して第３の配線と電気的に接続され、
前記トランジスタのゲート電極は前記第１のスイッチを介して前記第１の配線と電気的に接続され、
前記トランジスタのソース電極及びドレイン電極の他方は前記容量素子を介して前記トランジスタのゲート電極と電気的に接続されていることを特徴とする半導体装置。
【請求項４】
請求項２または請求項３において、前記第２の配線は、前記第２のスイッチを制御する配線と同一であることを特徴とする半導体装置。
【請求項５】
請求項２乃至請求項４のいずれか一項において、前記第２の配線は前行もしくは次行の第１乃至第３のスイッチを制御する走査線のいずれかであることを特徴とする半導体装置。
【請求項６】
請求項２乃至請求項５のいずれか一項において、前記第１の配線に入力される電位はＶ１もしくはＶ２の二値であり、前記第１のスイッチ乃至前記第３のスイッチが非導通状態のときのみ前記Ｖ２の値をとり、前記Ｖ１は前記第２の配線に入力される電位よりも高い電位であり、前記Ｖ１と前記Ｖ２の差分は前記トランジスタのしきい値電圧分より大きく、前記Ｖ２は前記Ｖ１より高い値であることを特徴とする半導体装置。
【請求項７】
請求項２乃至請求項６のいずれか一項において、前記第１の配線に入力される電位はＶ１もしくはＶ２の二値をとり、前記第１のスイッチ乃至前記第３のスイッチが非導通状態のときのみ前記Ｖ２の値であり、前記Ｖ１は前記第２の配線に入力される電位よりも低い電位であり、前記Ｖ１と前記Ｖ２の差分は前記トランジスタのしきい値電圧の絶対値分より大きく、前記Ｖ２は前記Ｖ１より低い値であることを特徴とする半導体装置。
【請求項８】
請求項２乃至請求項７のいずれか一項において、前記第１のスイッチ乃至第３のスイッチはトランジスタであることを特徴とする半導体装置。
【請求項９】
ソース電極及びドレイン電極の一方が第１の配線に電気的に接続され、前記ソース電極及びドレイン電極の他方が第２の配線に電気的に接続されるトランジスタと、
前記トランジスタのゲートソース間電圧を保持する保持容量と、
前記第１の配線に入力される第１の電位を前記トランジスタのゲート電極に印加し、前記第２の配線に入力される第２の電位を前記トランジスタのソース電極に印加することにより、前記保持容量に第１の電圧を保持させる手段と、
前記保持容量の電圧を第２の電圧まで放電させる手段と、
前記第１の電位に第３の電圧を加算した電位を前記トランジスタのゲート電極に印加し、前記第２の電圧と第４の電圧とを加算した第５の電圧を前記保持容量に保持させる手段と、
前記第１の配線に前記第１の電位とは異なる第３の電位を入力することにより前記トランジスタに設定された電流を負荷に供給する手段と
を有することを特徴とする半導体装置。
【請求項１０】
ソース電極及びドレイン電極の一方が第１の配線に電気的に接続され、前記ソース電極及びドレイン電極の他方が第２の配線に電気的に接続されるトランジスタと、
前記トランジスタのゲートソース間電圧を保持する保持容量と、
前記第１の配線に入力される第１の電位を前記トランジスタのゲート電極に印加し、前記第２の配線に入力される第２の電位を前記トランジスタのソース電極に印加することにより、前記保持容量に第１の電圧を保持させる手段と、
前記保持容量の電圧を前記トランジスタのしきい値電圧まで放電させる手段と、
前記第１の電位に第２の電圧を加算した電位を前記トランジスタのゲート電極に印加し、前記トランジスタのしきい値電圧と第３の電圧とを加算した第４の電圧を前記保持容量に保持させる手段と、
前記第１の配線に前記第１の電位とは異なる第３の電位を入力することにより前記トランジスタに設定された電流を負荷に供給する手段とを有することを特徴とする半導体装置。
【請求項１１】
請求項９又は請求項１０のいずれか一項において、前記第１の電位は前記第２の電位よりも高い電位であり、前記第１の電位と前記第２の電位の差分は前記トランジスタのしきい値電圧分より大きく、前記第１の電位は前記第３の電位より低い値であることを特徴とする半導体装置。
【請求項１２】
請求項９乃至請求項１１のいずれか一項において、前記第１の電位は前記第２の電位よりも低い電位であり、前記第１の電位と前記第２の電位の差分は前記トランジスタのしきい値電圧の絶対値分より大きく、前記第１の電位は前記第３の電位より高い値であることを特徴とする半導体装置。
【請求項１３】
請求項９乃至請求項１２のいずれか一項において、前記負荷は発光素子であることを特徴とする半導体装置。
【請求項１４】
請求項１乃至請求項１３のいずれか一項に記載の半導体装置を有する表示装置。
【請求項１５】
請求項１４に記載の表示装置を表示部に有することを特徴とする電子機器。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
導電性支持体上に、電荷輸送層および電荷発生層を有する電子写真感光体において、該電荷輸送層が、下記一般式（１）で表される電荷輸送物質と、バインダー樹脂とを含有し、且つ該電荷輸送物質のバインダー樹脂に対する質量比率（電荷輸送物質／バインダー樹脂）が、５／１００以上４５／１００以下であることを特徴とする電子写真感光体。
【化１】
2007179038.tif 000001
（一般式（１）において、Ａｒ１は置換基を有してもよいアリーレン基、Ａｒ２〜Ａｒ５は置換基を有してもよいアリール基を表し、ｎは３〜６の整数を表す）
【請求項２】
導電性支持体上に、電荷輸送層および電荷発生層を有する電子写真感光体において、該電荷輸送層が、下記一般式（１）で表される電荷輸送物質を含有し、且つ複数の電荷輸送物質とバインダー樹脂を含有するものであって、該複数の電荷輸送物質の総質量の、バインダー樹脂に対する質量比率（電荷輸送物質／バインダー樹脂）が、２５／１００以上５５／１００以下であることを特徴とする電子写真感光体。
【化２】
2007179038.tif 000002
（一般式（１）において、Ａｒ１は置換基を有してもよいアリーレン基、Ａｒ２〜Ａｒ５は置換基を有してもよいアリール基を表し、ｎは３〜６の整数を表す）
【請求項３】
導電性支持体上に、電荷輸送層および電荷発生層を有する電子写真感光体において、該電荷輸送層が、下記一般式（１）で表される電荷輸送物質を含有し、該電荷発生層が、オキシチタニウムフタロシアニンを含有し、且つ該オキシチタニウムフタロシアニンがフタロシアニン結晶前駆体を化学的処理後、有機溶媒に接触して得られるものであって、ＣｕＫα特性Ｘ線（波長１．５４１Å）に対するブラッグ角（２θ±０．２°）９．５°、２４．１°および２７．２°に主たる回折ピークを有するオキシチタニウムフタロシアニンであることを特徴とする電子写真感光体。
【化３】
2007179038.tif 000003
（一般式（１）において、Ａｒ１は置換基を有してもよいアリーレン基、Ａｒ２〜Ａｒ５は置換基を有してもよいアリール基を表し、ｎは３〜６の整数を表す）
【請求項４】
導電性支持体上に、電荷輸送層および電荷発生層を有する電子写真感光体において、該電荷輸送層が、下記一般式（１）で表される電荷輸送物質と、ポリアリレート樹脂とを含有することを特徴とする電子写真感光体。
【化４】
2007179038.tif 000004
（一般式（１）において、Ａｒ１は置換基を有してもよいアリーレン基、Ａｒ２〜Ａｒ５は置換基を有してもよいアリール基を表し、ｎは３〜６の整数を表す）
【請求項５】
導電性支持体上に、電荷輸送層および電荷発生層を有する電子写真感光体において、該電荷輸送層が、下記一般式（１）で表される電荷輸送物質と、粘度平均分子量１００００以上７００００以下のバインダー樹脂とを含有することを特徴とする電子写真感光体。
【化５】
2007179038.tif 000005
（一般式（１）において、Ａｒ１は置換基を有してもよいアリーレン基、Ａｒ２〜Ａｒ５は置換基を有してもよいアリール基を表し、ｎは３〜６の整数を表す）
【請求項６】
前記電荷発生層が、ＣｕＫα特性Ｘ線に対するＸ線回折スペクトルのブラッグ角（２θ±０．２゜）が、９．５°、２４．１°、２７．３°にピークを有する結晶型のオキシチタニウムフタロシアニンを含有する請求項１、請求項２、請求項４又は請求項５に記載の電子写真感光体。
【請求項７】
導電性支持体上に、下記一般式（１）で表される電荷輸送物質を含有する電荷輸送層、および電荷発生層を有する電子写真感光体を搭載し、該電子写真感光体を波長３８０〜５００ｎｍの単色光により露光して画像を形成することを特徴とする画像形成装置。
【化６】
2007179038.tif 000006
（一般式（１）において、Ａｒ１は置換基を有してもよいアリーレン基、Ａｒ２〜Ａｒ５は置換基を有してもよいアリール基を表し、ｎは３〜６の整数を表す）
【請求項８】
導電性支持体上に、下記一般式（１）で表される電荷輸送物質を含有する電荷輸送層を最外層として有する電子写真感光体を搭載し、該電子写真感光体を該電子写真感光体に接触配置する帯電器により帯電して画像を形成することを特徴とする画像形成装置。
【化７】
2007179038.tif 000007
（一般式（１）において、Ａｒ１は置換基を有してもよいアリーレン基、Ａｒ２〜Ａｒ５は置換基を有してもよいアリール基を表し、ｎは３〜６の整数を表す）
【請求項９】
請求項１ないし請求項６の何れかの請求項に記載の電子写真感光体を搭載したことを特徴とする画像形成装置。
【請求項１０】
請求項１ないし請求項６の何れかの請求項に記載の電子写真感光体を搭載し、該電子写真感光体を波長３８０〜５００ｎｍの単色光により露光して画像を形成することを特徴とする画像形成装置。
【請求項１１】
請求項１ないし請求項６の何れかの請求項に記載の電子写真感光体を、帯電装置、露光装置、現像装置、転写装置、クリーニング装置、および定着装置のうち１つまたは２つ以上と組み合わせることを特徴とするカートリッジ。
【手続補正２】
【補正対象書類名】明細書
【補正対象項目名】発明の名称
【補正方法】変更
【補正の内容】
【発明の名称】電子写真感光体、画像形成装置、およびカートリッジ